(57)【要約】【課題】例えば自動二輪車のライダーなど基本的に両手が塞がっている者でも、モバイルをより容易に使用することができる利便性に優れたモバイル腕装着用具を提供する。【解決手段】モバイル腕装着用具１は、モバイルを収容するための収容部２と、モバイルを収容部２内外に出し入れするための開閉手段３と、モバイルのディスプレイまたは操作部に対応した位置に設けられた窓部４とを備えたモバイルケース５と、使用者の腕に巻き付けて装着するためのバンド６とを有し、モバイルケース５には、バンド６にモデルケース５を取り付けるための第１係合部７が設けられ、バンド６には、モバイルケース５の第１係合部７に係合する第２係合部８が設けられている。【選択図】図１
2013076178.tif 000002
【特許請求の範囲】
【請求項１】
モバイルを収容するための収容部と、前記モバイルを前記収容部内外に出し入れするための開閉手段と、前記モバイルのディスプレイまたは操作部に対応した位置に設けられた窓部とを備えたモバイルケースと、使用者の腕に巻き付けて装着するためのバンドとを有し、前記モバイルケースには、前記バンドに当該モデルケースを取り付けるための第１係合部が設けられ、前記バンドには、前記モバイルケースの前記第１係合部に係合する第２係合部が設けられていることを特徴とするモバイル腕装着用具。
【請求項２】
前記モバイルケースの前記第１係合部または前記バンドの前記第２係合部には、前記モバイルケースが前記バンド上において回転するための回転機構が設けられている請求項１に記載のモバイル腕装着用具。
【請求項３】
前記モバイルケースの前記第１係合部または前記バンドの前記第２係合部には、前記モバイルケースが前記バンド上において回転することを抑止する回転ロック機構が設けられている請求項２に記載のモバイル腕装着用具。
【請求項４】
前記モバイルケースの前記第１係合部と前記バンドの前記第２係合部は、ユニバーサルジョイントにて係合している請求項１に記載のモバイル腕装着用具。
【請求項５】
前記バンドは使用者の手首に巻き付けて装着するものである請求項１ないし４のいずれかに記載のモバイル腕装着用具。
【発明の詳細な説明】
【技術分野】
【０００１】
本発明は、スマートフォン（多機能型携帯電話）などのモバイルを使用者の腕に装着するためのモバイル腕装着用具に関するものである。
【背景技術】
【０００２】
スマートフォンなどのモバイルは手に把持して操作するが、例えば自動二輪車のライダーなどは両手でハンドルを握っているためモバイルの操作が困難となる。
また、自動二輪車のライダーはモバイルを用いてナビゲーションシステムを活用する機会が多く、その都度、バッグ等からモバイルを取り出して操作しなければならず煩雑であった。
【先行技術文献】
【特許文献】
【０００３】
【特許文献１】引用文献なし
【発明の概要】
【発明が解決しようとする課題】
【０００４】
そこで、本発明の課題は、例えば自動二輪車のライダーなど基本的に両手が塞がっている者でも、モバイルをより容易に使用することができる利便性に優れたモバイル腕装着用具を提供することにある。
【課題を解決するための手段】
【０００５】
上記課題を解決するものは、モバイルを収容するための収容部と、前記モバイルを前記収容部内外に出し入れするための開閉手段と、前記モバイルのディスプレイまたは操作部に対応した位置に設けられた窓部とを備えたモバイルケースと、使用者の腕に巻き付けて装着するためのバンドとを有し、前記モバイルケースには、前記バンドに当該モデルケースを取り付けるための第１係合部が設けられ、前記バンドには、前記モバイルケースの前記第１係合部に係合する第２係合部が設けられていることを特徴とするモバイル腕装着用具である。
【０００６】
前記モバイルケースの前記第１係合部または前記バンドの前記第２係合部には、前記モバイルケースが前記バンド上において回転するための回転機構が設けられていることが好ましい。前記モバイルケースの前記第１係合部または前記バンドの前記第２係合部には、前記モバイルケースが前記バンド上において回転することを抑止する回転ロック機構が設けられていることが好ましい。前記モバイルケースの前記第１係合部と前記バンドの前記第２係合部は、ユニバーサルジョイントにて係合していてもよい。前記バンドは使用者の手首に巻き付けて装着するものでもよい。
【発明の効果】
【０００７】
請求項１に記載したモバイル腕装着用具によれば、自動二輪車のライダーなど基本的に両手が塞がっている者でも、腕にモバイルが装着されているため、使用の都度、バッグ等からモバイルを取り出す必要もなく、他方の手で操作してより容易にモバイルを使用することができる。
請求項２に記載したモバイル腕装着用具によれば、上記請求項１の効果に加え、モバイルをバンド上で回転させることができるため、モバイルを使用者が操作し易い向きに調整することができる。
請求項３に記載したモバイル腕装着用具によれば、上記請求項１または２の効果に加え、モバイルを使用者が操作し易い向きのまま停止させることができる。
請求項４に記載したモバイル腕装着用具によれば、モバイルを使用者が操作し易い向きに三次元的に調整することができる。
請求項５に記載したモバイル腕装着用具によれば、腕時計感覚でモバイルを使用することができる。
【図面の簡単な説明】
【０００８】
【図１】本発明のモバイル腕装着用具の一実施例におけるバンドの平面図である。
【図２】図１に示したモバイル腕装着用具におけるモバイルケースの正面図である。
【図３】図１に示したモバイル腕装着用具におけるモバイルケースの背面側斜視図である。
【図４】図１に示したモバイル腕装着用具における回転機構および回転ロック機構を説明するための第２係合部の分解斜視図である。
【図５】図１に示したモバイル腕装着用具における回転機構および回転ロック機構を説明するための第２係合部の分解斜視図である。
【図６】図５のＡ−Ａ線断面図である。
【図７】図１に示したモバイル腕装着用具の使用方法を説明するための斜視図である。
【図８】図１に示したモバイル腕装着用具の使用状態を説明するための斜視図である。
【図９】第２係合部の他の実施例を説明するための平面図である。
【図１０】第２係合部の他の実施例を説明するための斜視図である。
【図１１】本発明のモバイル腕装着用具の他の実施例の斜視図である。
【発明を実施するための形態】
【０００９】
本発明では、使用者の腕に巻き付けるバンド６にモバイルケース５を取り付け可能にしたことで、自動二輪車のライダーなど基本的に両手が塞がっている者でも、モバイルをその都度バッグ等から取り出す必要がなく、モバイルをより容易に使用することができるモバイル腕装着用具１を実現した。
【実施例１】
【００１０】
本発明のモバイル腕装着用具を図１ないし図１０に示した一実施例を用いて説明する。
この実施例のモバイル腕装着用具１は、モバイルを収容するための収容部２と、モバイルを収容部２内外に出し入れするための開閉手段３と、モバイルのディスプレイまたは操作部に対応した位置に設けられた窓部４とを備えたモバイルケース５と、使用者の腕に巻き付けて装着するためのバンド６とを有し、モバイルケース５には、バンド６にモデルケース５を取り付けるための第１係合部７が設けられ、バンド６には、モバイルケース５の第１係合部７に係合する第２係合部８が設けられている。以下、各構成について順次詳述する。
【００１１】
この実施例のモバイル腕装着用具１は、図８に示すように、使用者の前腕部に巻き付けて使用するものであり、図２または図３に示したモバイルケース５と、図１に示したモバイルケース５を取り付けるバンド６とから構成されている。
【００１２】
モバイルケース５は、図２に示すように、内部にモバイルを収容するための収容部２を有するように、収容するモバイルと略同一形態で若干寸法が大きい略長方体に布または軟質樹脂などで形成されている。
【００１３】
モバイルケース５の側壁部には、図２に示すように、モバイルを収容部２内外に出し入れするための開閉可能な開閉手段３（この実施例ではファスナー）が側壁部中央に沿って設けられている。
【００１４】
モバイルケース５の正面側には、図３に示すように、収容するモバイルのディスプレイまたは操作部に対応した位置に窓部４が設けられている。この窓部４は、モバイルケース５の外部から内部に収容したモバイルのディスプレイを目視可能にすると共に、モバイルを操作するための部位である。なお、この実施例の窓部４は透明樹脂等にて被覆されているが、透明樹脂等で被覆されず、収容部２が露呈しているものも本発明の範疇に包含される。
【００１５】
モバイルケース５の背面側には、図２に示すように、第１係合部７が設けられている。第１係合部７は、モバイルケース５とバンド６とを接合させ、バンド６にモバイルケース５を取り付ける部位であり、モバイルケース５の背面側中央付近において、背面側に向かって略台形状に若干突出する形態に形成されている。
【００１６】
第１係合部７には、図１または図８に示すように、バンド６の第２係合部８に設けられたＬ型フック９ａ，９ｂおよび抜け止め用凸部１０を挿入可能な垂直方向に延在する凹条部１１ａ，１１ｂ，１１ｃが３列並設されている。これにより、１本或いは２本のＬ型フックを有する第２係合部（図９に示した１本のＬ型フック３１を有する第２係合部３０および図１または図８に示した２本のＬ型フック９ａ，９ｂを有する第２係合部８）のいずれに対してもバランスよくかつ確実に固定することができる第１係合部７が構成される。
【００１７】
具体的には、図９に示した１本のＬ型フック３１を有する第２係合部３０がバンド６に取り付けられた場合は、３列の凹条部１１ａ，１１ｂ，１１ｃのうち、中央の凹条部１１ｂ内にＬ型フック３１と抜け止め用凸部３２を挿入してモバイルケース５をバンド６に固定する。これにより、モバイルケース５をバンド６の中央にバランスよく固定することができる。
【００１８】
他方、図１または図８に示した２本のＬ型フック９ａ，９ｂを有する第２係合部８がバンド６に取り付けられた場合は、３列の凹条部１１ａ，１１ｂ，１１ｃのうち、両側の凹条部１１ａ，１１ｃｂ内にそれぞれＬ型フック９ａ，９ｂを挿入し、凹条部１１ｂ内に抜け止め用凸部１０を挿入してモバイルケース５をバンド６に固定する。これにより、モバイルケース５をバンド６の中央にバランスよく固定することができる。
【００１９】
なお、凹条部１１ａ，１１ｂ，１１ｃは同一形態に形成されており、凹条部１１ｂは第１係合部７の中央部に設けられ、さらに、凹条部１１ａ，１１ｃは、中央に設けられた凹条部１１ｂより等間隔離間して設けられている。これらの構成によってモバイルケース５をバンド６の中央にバランスよく固定することができる。
【００２０】
バンド６は、図７または図８に示すように、使用者の前腕部に巻き付ける部位であり、図１に示したように樹脂製または布製帯状体にて形成されている。バンド６は、一端側の表面に設けられた第１面ファスナー１２ａと、他端側の裏面に設けられた第２面ファスナー１２ｂ，第３面ファスナー１２ｃと、第１面ファスナー１２ａを挿入するための長孔１３と、第１面ファスナー１２ａ，第２面ファスナー１２ｂ，第３面ファスナー１２ｃと係合して係止させるための係止用面ファスナー１４と、第２係合部８と、第２係合部８をバンド６に着脱可能に取り付けるための第２係合部取付部１５ａ，１５ｂを有している。
【００２１】
第１面ファスナー１２ａは、使用者の前腕部に巻き付ける際に、図７に示すように、長孔１３内に挿入された後、折り返されて係止用面ファスナー１４に係止される。第２面ファスナー１２ｂおよび第３ファスナー１２ｃは、使用者の前腕部に巻き付けてそのまま係止用面ファスナー１４に係止される。このように、この実施例のモバイル腕装着用具１は、第１面ファスナー１２ａ、第２面ファスナー１２ｂおよび第３面ファスナー１２ｃがバンド６の長手方向に沿って長い短冊状に形成されていることにより、使用者の腕の太さに応じてバンド６の内径を調整することができるよう構成されている。
【００２２】
第２係合部８は、モバイルケース５の第１係合部７と係合して、モバイルケース５をバンド６に取り付けるためのものであり、この実施例の第２係合部８は、図１または図８に示すように、Ｌ型フック９ａ，９ｂおよび抜け止め用凸部１０を有している。
【００２３】
第２係合部８は、第２係合部取付部１５に両端辺部８ａ，８ｂをそれぞれ挿入することでバンド６に着脱可能に構成されており、このような構造により、第２係合部を、図１または図８に示したＬ型フック９ａ，９ｂと抜け止め用凸部１０を有した第２係合部８、図９に示した１本のＬ型フック３１と抜け止め用凸部３２を有した第２係合部３０、または図１０に示したユニバーサルジョイント４１（自在軸継手）を有した第２係合部４０などに取り替えることができるように構成されている。
【００２４】
なお、図１０に示した第２係合部４０は、コネクター４２と、コネクター保持体４３とを有しており、コネクター４２はＬ型フック４４ａ，４４ｂと抜け止め用凸部４５とを備えた板状ベース４６と、基端側にコネクター４２を広角度に回動可能とする球状自在軸４７を有している。コネクター保持体４３は、球状自在軸４７を保持する自在軸受け４８を有している。
【００２５】
そして、この第２係合部４０が第２係合部取付部１５に取り付けられ、モバイルケース５の第１係合部７と係合させ、バンド６にモバイルケース５が取り付けられると、コネクター４２が球状自在軸４７の作用により三次元的に回動可能であるため、モバイルの向きを使用者が操作し易い向きに三次元的に調整することができるように構成されている。
【００２６】
また、バンド６の第２係合部８には、モバイルケース５がバンド６上において回転するための回転機構、およびモバイルケース５がバンド６上において回転することを抑止する回転ロック機構が設けられている。
【００２７】
具体的には、この実施例の第２係合部８は、図４ないし図６に示すように、固定側プレート１６と回転側プレート１７とを有している。固定側プレート１６は、図１または図８に示すように取付用プレート１８に固定される。
【００２８】
回転側プレート１７は、Ｌ型フック９ａ，９ｂと抜け止め用凸部１０を有し、固定側プレート１６の背面側に配されたビス１９および弾性部材（バネ）２０を介して固定側プレート１６に回転可能に取り付けられて、固定側プレート１６との間で回転機構を構成している。この回転機構により、モバイルをバンド６上で回転させることができ、モバイルを使用者が操作し易い向きに調整することができる。
【００２９】
また、固定側プレート１６の筒状部２１の正面側には、図４に示すように、放射状に形成された第１凹凸部２２が形成され、他方、回転側プレート１７の背面側には、図５に示すように、第１凹凸部２２と噛合する第２凹凸部２３が放射状に形成されている。第１凹凸部２２と第２凹凸部２３とが噛合することにより、固定側プレート１６と回転側プレート１７の間で回転ロック機構が構成されており、固定側プレート１６と回転側プレート１７との相対的位置関係が保持されることでモバイルを使用者が操作し易い向きの状態で両者を係止させることができるように構成されている。
【００３０】
なお、この実施例のモバイル腕装着用具１は、上述したように、バンド６の第２係合部８が、モバイルケース５がバンド６上において回転するための回転機構および回転ロック機構を有しているが、モバイルケースの第１係合部が回転機構および回転ロック機構を有したもの、モバイルケースの第１係合部とバンドの第２係合部の間に回転機構および回転ロック機構を有したものも本発明の範疇に包含される。
【００３１】
つぎに、モバイル腕装着用具１の使用方法について説明する。
まず、図１に示したバンド６を、第１面ファスナー１２ａ、第２面ファスナー１２ｂおよび第３ファスナー１２ｃを係止用面ファスナー１４に係止させることで、図８に示すように使用者の前腕部に巻き付ける。つぎに、バンド６の第２係合部８にモバイルケース５の背面側に設けられた第１係合部７に係合させることにより、モバイルケース５をバンド６に装着する。さらに、モバイルを使用者が操作し易い向きに回転させたい場合は、モバイルケース５を把持して若干手前に引いて回転させると、回転側プレート１７が固定側プレート１６との間で相対的に回転して所望の向きにモバイルを位置させることができる。また、その所望の向きでモバイルケース５から手を離すと弾性部材（バネ）２０の作用で回転側プレート１７が固定側プレート１６側に若干移動し、固定側プレート１６と回転側プレート１７との間に構成された回転ロック機構（第１凹凸部２２と第２凹凸部２３）により、その位置にて停止状態を保持させることができる。
【００３２】
このように、本発明のモバイル腕装着用具１では、使用者の腕に巻き付けたバンド６にモバイルケース５を取り付け可能にしたことで、自動二輪車のライダーなど基本的に両手が塞がっている者でも、モバイルをその都度バッグ等から取り出す必要がなく、より容易に使用することができ、モバイルを所望の向きに保持させることも可能となる。
【００３３】
さらに、図１１に示した本発明のモバイル腕装着用具の他の実施例について説明する。
この実施例のモバイル腕装着用具５０と前述したモバイル腕装着用具１との基本的な相違は、モバイル腕装着用具１がバンド６を使用者の前腕部に巻き付けて使用するものであるのに対して、モバイル腕装着用具５０は、バンド５１を使用者の手首に巻き付けて使用する点にある。
【００３４】
モバイル腕装着用具５０は、バンド５１が二重構造に構成されており、下方に配された帯状体５２と、その上方に配されたベルト５３とからなり、ベルト５３は一端側５３ａ付近で帯状体５２に縫い付けられている。
【００３５】
帯状体５２は、モバイルケース５を安定的にバンド５１に取り付けるためのものであり、ベルト５３に比して幅広に形成されると共に、ゴムなどの弾性材料にて形成されている。帯状体５２の一端側５２ａの裏面には面ファスナー５４が設けられており、帯状体５２の他端側５２ｂの表面には面ファスナー５５が設けられている。
【００３６】
他方、ベルト５３の一端側５３ａには雌型バックル５６ａが取り付けられており、ベルト５３の他端側５３ｂには雄型バックル５６ｂが取り付けられている。
【００３７】
ベルト５３は固定側プレート５７の挿通孔５７ａ，５７ｂを挿通して固定側プレート５７をベルト５３の中央付近に保持しており、固定側プレート５７にはＬ型フック５８ａと抜け止め防止用凸部５８ｂを有した回転側プレート５８が、モバイル腕装着用具１と同様な構造で回転可能に取り付けられ、固定側プレート５７と回転側プレート５８とで第２係合部５９を構成している。
【００３８】
そして、このように構成されたモバイル腕装着用具５０を使用するには、まず、使用者の手首に帯状体５２を巻き付け、帯状体５２の一端側５２ａの裏面に設けられた面ファスナー５４を、帯状体５２の他端側５２ｂの表面に設けられた面ファスナー５５に貼り付けて帯状体５２を使用者の手首に装着する。つぎに、ベルト５３の一端側５３ａに設けられた雌型バックル５６ａに、ベルト５３の他端側５３ｂに設けられた雄型バックル５６ｂを係合させて、ベルト５３を使用者の手首に装着する。この状態で、モバイル腕装着用具１と同様の形態を有したモバイルケース５の第１係合部７を第２係合部５９に係合させて、モバイルをバンド５１に装着させる。さらに、モバイルを使用者が操作し易い向きに回転させたい場合は、モバイルケース５を把持して回転させると、回転側プレート５８が固定側プレート５７との間で相対的に回転して所望の向きにモバイルを位置させることができると共に、固定側プレート５７と回転側プレート５８との間に構成された回転ロック機構の作用で停止状態を保持させることができる。
【００３９】
このように、モバイル腕装着用具５０は使用者の前腕部ではなく手首に装着することができるため、腕時計感覚でモバイルを使用することができ、そのようなものも本発明の範疇に包含される。
【符号の説明】
【００４０】
１      モバイル腕装着用具
２      収容部
３      開閉手段
４      窓部
５      モバイルケース
６      バンド
７      第１係合部
８      第２係合部
９      Ｌ型フック
１０    抜け止め防止用凸部
１１    凹条部
１２ａ  第１面ファスナー
１２ｂ  第２面ファスナー
１２ｃ  第３面ファスナー
１３    長孔
１４    係止用面ファスナー
１５    第２係合部取付部
１６    固定側プレート
１７    回転側プレート
１８    取付用プレート
１９    ビス
２０    弾性部材（バネ）
２１    筒状部
２２    第１凹凸部
２３    第２凹凸部
【図１】
2013076178.tif 000003
【図２】
2013076178.tif 000004
【図３】
2013076178.tif 000005
【図４】
2013076178.tif 000006
【図５】
2013076178.tif 000007
【図６】
2013076178.tif 000008
【図７】
2013076178.tif 000009
【図８】
2013076178.tif 000010
【図９】
2013076178.tif 000011
【図１０】
2013076178.tif 000012
【図１１】
2013076178.tif 000013